(57)【特許請求の範囲】
【請求項１】
壁パネルに穿孔された取付孔を、壁パネルの面に当接して封止するプレート枠本体と、
前記プレート枠本体に取付けられ、壁パネルに穿孔された取付孔を前記プレート枠本体と共にその周部を挟持する取付金具と、
前記プレート枠本体に設けられ、既製の配線器具の一部が挿着される開口部と、
前記プレート枠本体の裏側の面の開口部の一方の辺側に形成された固定保持片と、
前記プレート枠本体の裏側の面の開口部の他方の対向辺側に形成された可動保持片と、
前記プレート枠本体の表側の面の可動保持片の上部に開口する金型孔のみを封止する成形体からなり、前記金型孔に対して挿入により弾性変形し、装着状態により自己の弾性変形が戻る合成樹脂製の封止部材と、
前記プレート枠本体の表側の面を覆う化粧プレートと
を具備することを特徴とする配線器具用取付装置。
【発明の詳細な説明】
【０００１】
【発明の属する技術分野】
本発明は、両側に取付爪が形成されている規格化された既製のスイッチ、コンセント等の配線器具を壁パネルに取付けるのに使用する配線器具用取付枠に関するものである。
【０００２】
【従来の技術】
従来の配線器具用取付枠として、図８及び図９に示す特許第２９９２３３１号公報に掲載の技術がある。
【０００３】
図８は上記公報に掲載の従来の配線器具用取付枠の部品展開図及び図９は同じく従来の配線器具用取付枠のプレート枠本体の断面図である。
【０００４】
図８に示すように、プレート枠本体１は合成樹脂により丸型に形成されており、プレート枠本体１の中央部には配線器具２を装着する矩形状の開口部１ａが形成されている。
【０００５】
プレート枠本体１は、その周囲に一対の固定ねじ５の先端部に平板状の取付金具６が螺合しており、固定ねじ５の回転によって、取付金具６がプレート枠本体１の裏面に突設した断面略コ形のガイドリブ１ｂの開口を上下動するようになっている。したがって、壁パネルＷにプレート枠本体１よりも若干径の小さい丸型の取付孔Ｙを穿設し、その取付孔Ｙにガイドリブ１ｂ側を挿入し、取付孔Ｙを覆うようにプレート枠本体１を壁パネルＷの表面に当接させ、その後、固定ねじ５を締付けて取付金具６をプレート枠本体１に近付けるようにすれば、プレート枠本体１の周部と取付金具６とによって、取付孔Ｙの周部の壁パネルＷを挟持し、プレート枠本体１が壁パネルＷに固定される。
【０００６】
配線器具２は、外形寸法、取付寸法が規格化されている既製の配線器具であり、そのケース２ａの前面中央部に機能本体２ｂが形成され、機能本体２ｂがプレート枠本体１の開口部１ａに挿入され、機能本体２ｂの両側の一対の取付爪２ｃが開口部１ａの周縁裏面に係止される。
【０００７】
プレート枠本体１の開口部１ａは、既製の単位寸法の配線器具２を１個取付けることができる寸法に形成されている。なお、図示しないが、通常、２個口及び３個口も存在する。各配線器具２に対応する開口部１ａの両側縁には、図９に示すように、プレート枠本体１の裏面との間で配線器具２の各側面の取付爪２ｃをそれぞれ保持する固定保持片１ｃ及び可動保持片１ｄが形成されている。可動保持片１ｄは取付爪２ｃに係脱できるように、取付爪２ｃの突出方向に弾性を有している。即ち、可動保持片１ｄは下端部の両端がプレート枠本体１から突設されており、下端部を中心に上端が移動できるようになっている。プレート枠本体１には可動保持片１ｄに対応する位置に長孔１ｅが穿孔され、可動保持片１ｄの一部は長孔１ｅに挿入されるように突設されている。可動保持片１ｄにおける固定保持片１ｃに対向する面には、先端から基端に向かって固定保持片１ｃに近づく向きに傾斜して取付爪２ｃを上端部に案内する案内面１ｆとなっている。
【０００８】
したがって、配線器具２の一方の側面の取付爪２ｃを、固定保持片１ｃのプレート枠本体１との間に挿入した状態で、他方の側面の取付爪２ｃを案内面１ｆに当接させながら端部まで移動させれば、配線器具２をプレート枠本体１に取付けることができる。また、配線器具２をプレート枠本体１から外すには、長孔１ｅにドライバの先端部などを挿入し、可動保持片１ｄが撓むように力を加えればよい。
【０００９】
プレート枠本体１の周部の段差部１ｇに切欠孔１ｈが複数箇所に形成されている。また、プレート枠本体１の要所には後述する化粧プレート４を取付けるための係合孔１ｉが形成されている。
【００１０】
プレート枠本体１の表面には、板金で円板状に形成された耐火パネル３が段差部１ｇよりも内側の全面を覆うようにして配設される。耐火パネル３には、開口部１ａに対応する開口部３ａ、固定孔１ｊに対応する一対の透孔３ｊ、係合孔１ｉに対応する貫通孔３ｉが形成されている。耐火パネル３の周縁の要所には、プレート枠本体１の周部に形成された各切欠孔１ｈに挿通される複数の突片３ｈが突設されている。また、透孔３ｊの内周縁には固定孔１ｊに形成された切欠に係合する舌片が形成されている。
【００１１】
したがって、耐火パネル３をプレート枠本体１の表面に配設したときに、突片が切欠孔１ｈに挿通され、また、舌片が切欠に係合することにより、耐火パネル３のプレート枠本体１に対する回り止めがなされる。ここに、固定ねじ５は耐火パネル３を通してプレート枠本体１に挿通されるのであり、固定ねじ５の頭部とプレート枠本体１との間に舌片が挟持されるから、耐火パネル３は固定ねじ５によってプレート枠本体１に固定される。
【００１２】
更に、プレート枠本体１の表面には、耐火パネル３の表面を覆う形で合成樹脂の化粧プレート４が配設される。化粧プレート４の中央部には配線器具２が露出する開口部４ａが形成される。また、化粧プレート４の周部の裏面には、プレート枠本体１の周部の段差部１ｇに係合する周壁が形成され、プレート枠本体１の表面を化粧プレート４で覆ったときに、プレート枠本体１の周面と化粧プレート４の周面とが面一になるようになっている。また、化粧プレート４の裏面には、先端部にフックを有する図示しない係合脚が突設され、耐火パネル３の貫通孔３ｉを通してプレート枠本体１の係合孔１ｉに係合脚が係合するようになっている。このようにして、化粧プレート４がプレート枠本体１に結合される。
【００１３】
上記構成では、配線器具２の背面側が開放されているが、配線器具２の背面側には必要に応じてスイッチボックスのようなボックスを配設する。
【００１４】
【発明が解決しようとする課題】
上記従来の配線器具用取付枠は、プレート枠本体１に長孔１ｅが形成されているから、壁パネルＷの取付孔Ｙに配設された状態で、壁パネルＷの内外との遮蔽は、耐火パネル３に頼っていた。即ち、耐火パネル３が存在しないと、壁パネルＷの外側の空気が内側に流れ込みプレート枠本体１に長孔１ｅから、化粧プレート４の開口部４ａと配線器具２の機能本体２ｂとの隙間を通って空気流が生ずる。冬季には冷気が侵入したり、外気に汚れがあると、化粧プレート４の開口部４ａと配線器具２の機能本体２ｂとの隙間に汚れが付着し、見栄えの悪い状態となる。
【００１５】
したがって、耐火パネル３が存在し、しかも、耐火パネル３がプレート枠本体１の長孔１ｅを完全に封止する必要があった。
【００１６】
しかし、防爆構造のスイッチでもないのに板金からなる耐火パネル３を使用することにはコスト的な無駄があった。部品点数からみても、省略したい部品であった。
【００１７】
ところが、押出成形の際にプレート枠本体１の長孔１ｅは、可動保持片１ｄを形成する際に必要な構成となり、長孔１ｅを省略することができない。
【００１８】
そこで、本発明は、壁パネルに配設された状態で、壁パネルの内外との間に空気の流れが生じない配線器具用取付枠の提供を課題とするものである。
【００１９】
【課題を解決するための手段】
請求項１にかかる配線器具用取付装置は、壁パネルに穿孔された取付孔を、壁パネルの面に当接して封止するプレート枠本体と、前記プレート枠本体に取付けられ、壁パネルに穿孔された取付孔を前記プレート枠本体と共にその周部を挟持する取付金具と、前記プレート枠本体に設けられ、既製の配線器具の一部が挿着される開口部と、前記プレート枠本体の裏側の面の開口部の一方の辺側に形成された固定保持片と、前記プレート枠本体の裏側の面の開口部の他方の対向辺側に形成された可動保持片と、前記プレート枠本体の表側の面の可動保持片の上部に開口する金型孔のみを封止する成形体からなり、前記金型孔に対して挿入により弾性変形し、装着状態により自己の弾性変形が戻る合成樹脂製の封止部材と、前記プレート枠本体の表側の面を覆う化粧プレートとを具備するものである。
【００２０】
ここで、前記プレート枠本体に取付けられ、壁パネルに穿孔された取付孔を前記プレート枠本体と共にその周部を挟持する取付金具は、２個以上とすることができる。前記既製の配線器具の一部が挿着される前記プレート枠本体の開口部は、１個口または２個口、３個口、６個口用等に適用できる。
【００２１】
また、本発明を実施する場合の固定保持片は、前記プレート枠本体の表側に金型使用による形成孔が出る出ないを問うものではない。そして、本発明を実施する場合、前記プレート枠本体の裏側の面の開口部の他方の対向辺側に形成された可動保持片は、表側の面の可動保持片の上部に開口する金型孔を形成するものであればよい。
【００２２】
前記金型孔を封止する合成樹脂製の封止部材は、金型孔のみを封止する合成樹脂の成形体と、前記固定保持片及び可動保持片の範囲を含む外形形状を有する成形体との１個以上としたものである。
【００２３】
前記プレート枠本体の表側の面の可動保持片の上部に開口する金型孔を封止する封止部材は、金型孔のみを封止する合成樹脂の成形体としたものである。
【００２６】
【発明の実施の形態】
以下、本発明の実施の形態を説明する。
【００２７】
図１は本発明の実施の形態の配線器具用取付枠の全体斜視図、図２は本発明の実施の形態の配線器具用取付枠に配線器具を装着した表面からみた平面図、図３は本発明の実施の形態の配線器具用取付枠の表面からみた平面図、図４は本発明の実施の形態の配線器具用取付枠のプレート枠本体の断面図、図５は本発明の実施の形態の配線器具用取付枠の開口部のみに配設する合成樹脂の成形体の斜視図である。また、図６は本発明の実施の形態の配線器具用取付枠の表面に配設する合成樹脂の成形体の斜視図、図７は本発明の実施の形態の配線器具用取付枠の表面に配設する合成樹脂の成形体の斜視図である。なお、図中、従来例と同一符号及び記号は、従来例と同一または相当する構成部分を示すものである。
【００２８】
図に示すように、プレート枠本体１０は合成樹脂により表面が略角隅を除いた矩形状で、裏側には略円筒状の挿入筒１３が形成され、プレート枠本体１０の表面の中央部には、配線器具２を装着する２個口の矩形状の開口部１１が形成されている。
【００２９】
プレート枠本体１０は、その周囲に対向する４個の固定ねじ５０を有しており、その固定ねじ５０の先端部に平板状の取付金具５１が螺合している。取付金具５１は通常の販売状態では、プレート枠本体１０の裏面の略円筒状の挿入筒１３の中心方向に向いて配設されている。固定ねじ５０を締める回転方向に回転させると、固定ねじ５０の回転によって、取付金具５１が挿入筒１３の中心方向から挿入筒１３の外周方向に向き、取付金具５１がプレート枠本体１０の挿入筒１３に形成した断面略Ｃ形の溝部１２の開口を上下動するようになっている。
【００３０】
したがって、従来例で示したように、壁パネルＷ（図８参照）にプレート枠本体１０よりも若干径の小さい丸型の取付孔Ｙ（図８参照）を穿設し、その取付孔Ｙに挿入筒１３側を挿入し、取付孔Ｙを覆うようにプレート枠本体１０を壁パネルＷの表面に当接させ、その後、固定ねじ５０を締付けて取付金具５１をプレート枠本体１０に近付けるように締付ければ、プレート枠本体１０の周部と取付金具５１とによって、取付孔Ｙの周部の壁パネルＷを挟持し、プレート枠本体１０が壁パネルＷに固定できる。
【００３１】
配線器具２は、図８に示す従来例と同様、外形寸法、取付寸法が規格化されている既製の配線器具であり、そのケース２ａの前面中央部に機能本体２ｂが形成され、機能本体２ｂがプレート枠本体１の開口部１ａに挿入され、機能本体２ｂの両側の一対の取付爪２ｃが開口部１ａの周縁裏面に係止されるようになっている。
【００３２】
本実施の形態のプレート枠本体１０の開口部１１は、既製の単位寸法の配線器具２を２個取付けることができる寸法に形成されている。なお、図示しないが１個口及び３個口、６個口、１２個口等も存在する。各配線器具２に対応する開口部１１の両側縁には、図４に示すように、プレート枠本体１０の裏面との間で配線器具２の各側面の取付爪２ｃをそれぞれ保持する固定保持片１４及び可動保持片１５が形成されている。可動保持片１５は取付爪２ｃに係合したり、それを解除したりできるように、取付爪２ｃを係合する突出端部１５ａが弾性を有している。
【００３３】
即ち、本実施の形態の可動保持片１５は、プレート枠本体１０の開口部１１の一辺側の裏面に、略Ｕ字状の側面解放の形態の一端が一体化され、他端が自由端となって、プレート枠本体１０の裏側に突設されている。可動保持片１５は、固定された上端取付部分を基準に自由端である突出段部１５ａが、その弾性で移動自在になっている。プレート枠本体１０には可動保持片１５に対応する位置に、可動保持片１５を形成するための金型孔１６が形成され、可動保持片１５の長さ方向の一部は金型孔１６に挿入され、他はプレート枠本体１０の下部に位置している。可動保持片１５における固定保持片１４に対向する面には、先端の突出段部１５ａから下部に向かって固定保持片１４に近づく向きに傾斜して取付爪２ｃを上端部に案内する案内面１５ｂとなっている。したがって、取付爪２ｃを上端部に案内する案内面１５ｂの形状を考慮すると、可動保持片１５は略Ｖ字状であるともいえる。
【００３４】
したがって、配線器具２の一方の側面の取付爪２ｃを、固定保持片１４のプレート枠本体１０の裏面との間に挿入した状態で、他方の側面の取付爪２ｃを案内面１５ｂに当接させながら突出段部１５ａまで移動させれば、配線器具２をプレート枠本体１０に取付けることができる。また、配線器具２をプレート枠本体１０から外すには、案内面１５ｂと配線器具２との間にドライバの先端部などを挿入し、可動保持片１５が弾性変化する力を加えればよい。
【００３５】
プレート枠本体１０には、固定保持片１４と可動保持片１５が配設されていない辺側の対抗辺に、化粧プレート４０を取付けるための４個の係合孔１８が形成されており、プレート枠本体１０の周部はその一部または全部が化粧プレート４０に覆われるようになっている。
【００３６】
プレート枠本体１０の表面には、金型孔１６が成形技術上可動保持片１５の射出形成の際に形成される。この金型孔１６には、金型孔１６のみを封止する合成樹脂の成形体として形成されたキャップ２０が挿着される。キャップ２０は本実施の形態の封止部材として機能する。
【００３７】
キャップ２０は全体が略直方体で一面が解放された中空状のキャップ本体２１と、キャップ本体２１の内部開口を複数に区分する区劃リブ２２と、キャップ２０の離脱を防止するキャップ本体２１の外面に配設された係合片２３からなる。
【００３８】
したがって、キャップ２０の係合片２３を開口部１１側に向けてプレート枠本体１０の金型孔１６に挿入すると、キャップ本体２１の外面が金型孔１６の面に沿って移動し、その際、係合片２３がキャップ本体２１の内方に弾性変形する。この弾性変形を許すように、キャップ本体２１の開口端部側の一辺には切欠き２４が形成されている。キャップ２０がプレート枠本体１０の金型孔１６に対して所定の挿着状態になると、係合片２３が自己の弾性で戻り、キャップ本体２１の両側及び区劃リブ２２が可動保持片１５の突出段部１５ａと当接し、挿着状態となる。
【００３９】
図２に示すように、プレート枠本体１０として２個口用の開口部１１を形成したとき、そこに２個の配線器具を取付けると、配線器具２相互間に隙間が形成される。この配線器具２相互間の隙間においても、金型孔１６と同様に空気の流れが形成される。即ち、２個口以上の開口部１１を形成したプレート枠本体１０では、配線器具２相互間に隙間ができ、その配線器具２相互間の隙間が、壁パネルの内外に連通する空気の通路となる。
【００４０】
そこで、少なくとも、固定保持片１４と可動保持片１５が形成される範囲を含み、当然、金型孔１６及び固定保持片１４の形成孔１４ａを含み、プレート枠本体１０の内部に窪み部１９を形成し、そこに、発泡樹脂から形成されたシート材３０を嵌込んでいる。このシート材３０は本実施の形態の封止部材として機能する。
【００４１】
シート材３０は、窪み部１９の外形を有し、内部に２個口の開口部３１を穿設し、両者間に桟部３３を形成したものである。シート材３０の厚みは窪み部１９の段差より厚く、後述する化粧プレート４０の裏面によって弾圧される厚みとなっている。当然ながら、プレート枠本体１０の２個口の開口部１１に配線器具２を配設したとき、シート材３０の開口部３１に配線器具２の機能本体２ｂが挿通する位置及び形状となっている。
【００４２】
したがって、２個口用の開口部１１を形成したときに配線器具２相互間に形成される隙間は、シート材３０の桟部３３によって封止される。
【００４３】
加えて、プレート枠本体１０の表面には、シート材３０の表面を覆うように、合成樹脂の化粧プレート４０が配設される。化粧プレート４０の中央部には配線器具２が露出する開口部４１が形成される。また、開口部４１相互間には桟部４３が形成されている。
【００４４】
したがって、プレート枠本体１０の周囲は化粧プレート４０の裏面で覆われ、プレート枠本体１０の周面と化粧プレート４０の周面とが面一になるようになっている。同時に、２個口用の開口部１１の配線器具２相互間に形成された隙間は、シート材３０の桟部３３によって封止され、更に、化粧プレート４０の桟部４３によって、シート材３０の桟部３３を押圧し、開口部１１の配線器具２相互間に形成された隙間をシート材３０の桟部３３によって、一層確実に封止できるように押圧している。
【００４５】
なお、化粧プレート４０の裏面には、先端部にフックを有する図示しない係合脚が突設され、プレート枠本体１０の係合孔１８に係合脚が係合するようになっている。このようにして、化粧プレート４０がプレート枠本体１０に結合される。
【００４６】
このように、本実施の形態の配線器具用取付装置は、壁パネルＷに穿孔された取付孔Ｙを、壁パネルＷの面に当接して封止するプレート枠本体１０と、プレート枠本体１０に取付けられ、壁パネルＷに穿孔された取付孔Ｙをプレート枠本体１０と共にその周部を挟持する取付金具５１と、プレート枠本体１０に設けられ、既製の配線器具２の一部が挿着される開口部１１と、プレート枠本体１０の裏側の面の開口部１１の一方の辺側に形成された固定保持片１４と、プレート枠本体１０の裏側の面の開口部１１の他方の対向辺側に形成された可動保持片１５と、プレート枠本体１０の表側の面の可動保持片１５の上部に開口する金型孔１６を封止する合成樹脂製のキャップ２０及びシート材３０からなる封止部材と、プレート枠本体１０の表側の面を覆う化粧プレート４０とを具備するものである。
【００４７】
本実施の形態の配線器具用取付装置によれば、プレート枠本体１０と、そのプレート枠本体１０に取付けられ、壁パネルＷに穿孔された取付孔Ｙをプレート枠本体１０と共にその周部を挟持する取付金具５１によって、壁パネルＷに穿孔された取付孔Ｙをプレート枠本体１０で封止する。このとき、プレート枠本体１０には既製の配線器具２の一部が挿着される開口部１１と、プレート枠本体１０の表側の可動保持片１５を成形する際に生じる上部に開口する金型孔１６が存在する。しかし、キャップ２０がプレート枠本体１０の金型孔１６に対して所定の挿着状態になると、プレート枠本体１０の金型孔１６が封止され、プレート枠本体１０を通過する空気流がなくなる。また、２個口用以上の開口部１１の配線器具２相互間に形成された隙間は、シート材３０の桟部３３によって封止され、更に、化粧プレート４０の桟部４３によって、シート材３０の桟部３３を押圧し、開口部１１の配線器具２相互間に形成された隙間をシート材３０の桟部３３によって、一層確実に封止できるようにしている。
【００４８】
そして、プレート枠本体１０の裏側の面の開口部１１の一方の辺側に形成された固定保持片１４と、プレート枠本体１０の裏側の面の開口部１１の他方の対向辺側に形成された可動保持片１５とは、簡単に、配線器具２を取付けることができる。
【００４９】
更に、本実施の形態のプレート枠本体１０の表側の面の可動保持片１５の上部に開口する金型孔１６を封止する合成樹脂製のキャップ２０及びシート材３０からなる封止部材は、プレート枠本体１０の金型孔１６が封止され、プレート枠本体１０を通過する空気流がなくなり、かつ、開口部１１の配線器具２相互間に形成された隙間を、シート材３０の桟部３３によって封止できる。したがって、プレート枠本体１０の開口部１１が複数個口用のものに使用でき、プレート枠本体１０の金型孔１６及び開口部１１の配線器具２相互間に形成された開口を、キャップ２０及びシート材３０によって、信頼性の高い封止状態が確保できる。
【００５０】
このとき、本実施の形態のプレート枠本体１０の表側の面の可動保持片１５の上部に開口する金型孔１６を封止する合成樹脂製のキャップ２０からなる封止部材のみでも、プレート枠本体１０を通過する空気流を１／３以下にすることができた。
【００５１】
ところで、上記実施の形態の配線器具用取付装置は、プレート枠本体１０の開口部１１が複数個口のものを前提に説明したが、本発明を実施する場合には、プレート枠本体１０の開口部１１が１個口のものにも使用できる。即ち、プレート枠本体１０の開口部１１が１個口のものでは、２個口用以上の開口部１１の配線器具２相互間に形成された隙間が生じないから、上記実施の形態のプレート枠本体１０の表側の面の可動保持片１５の上部に開口する金型孔１６を封止する合成樹脂製のキャップ２０のみとすることができる。また、シート材３０からなる封止部材のみとすることもできる。
【００５２】
勿論、上記実施の形態のように、封止部材を合成樹脂製のキャップ２０及びシート材３０としたものでは、プレート枠本体１０の金型孔１６が封止され、プレート枠本体１０を通過する空気流がなくなり、かつ、開口部１１の配線器具２相互間に形成された隙間を、シート材３０の桟部３３によって封止できるから、キャップ２０及びシート材３０によって、信頼性の高い封止状態が確保できる。
【００５３】
【発明の効果】
以上のように、請求項１の配線器具用取付装置は、壁パネルに穿孔された取付孔を、壁パネルの面に当接して封止するプレート枠本体と、前記プレート枠本体に取付けられ、壁パネルに穿孔された取付孔を前記プレート枠本体と共にその周部を挟持する取付金具と、前記プレート枠本体に設けられ、既製の配線器具の一部が挿着される開口部と、前記プレート枠本体の裏側の面の開口部の一方の辺側に形成された固定保持片と、前記プレート枠本体の裏側の面の開口部の他方の対向辺側に形成された可動保持片と、前記プレート枠本体の表側の面の可動保持片の上部に開口する金型孔のみを封止する成形体からなり、前記金型孔に対して挿入により弾性変形し、装着状態により自己の弾性変形が戻る合成樹脂製の封止部材と、前記プレート枠本体の表側の面を覆う化粧プレートとを具備するものである。
【００５４】
したがって、プレート枠本体と、そのプレート枠本体に取付けられ、壁パネルに穿孔された取付孔をプレート枠本体と共にその周部を挟持する取付金具によって、壁パネルに穿孔された取付孔をプレート枠本体で封止し、このとき、プレート枠本体の表側の可動保持片を成形する際に生じる上部に開口する金型孔が存在する。しかし、合成樹脂製の封止部材がプレート枠本体の金型孔を封止するから、プレート枠本体を通過する空気流が激減し、プレート枠本体を通過する空気流を１／３以下にすることができる。また、金型孔を封止する封止部材は、金型孔のみを封止する合成樹脂の成形体としたものであるから、特に、別れる部品点数が少なく市販でき、かつ、部品点数が少ないからその取付け作業性がよい。
【図面の簡単な説明】
【図１】図１は本発明の実施の形態の配線器具用取付枠の全体斜視図である。
【図２】図２は本発明の実施の形態の配線器具用取付枠に配線器具を装着した表面からみた平面図である。
【図３】図３は本発明の実施の形態の配線器具用取付枠の表面からみた平面図である。
【図４】図４は本発明の実施の形態の配線器具用取付枠のプレート枠本体の断面図である。
【図５】図５は本発明の実施の形態の配線器具用取付枠の開口部のみに配設する合成樹脂の成形体の斜視図である。
【図６】図６は本発明の実施の形態の配線器具用取付枠の表面に配設する合成樹脂の成形体の斜視図である。
【図７】図７は本発明の実施の形態の配線器具用取付枠の表面に配設する合成樹脂の成形体の斜視図である。
【図８】図８は従来の配線器具用取付枠の部品展開図である。
【図９】図９は従来の配線器具用取付枠のプレート枠本体の断面図である。
【符号の説明】
２    配線器具
１０    プレート枠本体
１１    開口部
１４    固定保持片
１５    可動保持片
１６    金型孔
２０    キャップ
３０    シート材
４０    化粧プレート
５１    取付金具
【図１】
0003560533.tif 000002
【図２】
0003560533.tif 000003
【図３】
0003560533.tif 000004
【図４】
0003560533.tif 000005
【図５】
0003560533.tif 000006
【図６】
0003560533.tif 000007
【図７】
0003560533.tif 000008
【図８】
0003560533.tif 000009
【図９】
0003560533.tif 000010